(57)【要約】【課題】設置スペースが必要なく、衛生的な簡易トイレを提供することを目的とする。【解決手段】簡易トイレ１は、ヒト又は動物の排泄物を収容する簡易トイレであって、収容・保存容器１０内又は収容・保存容器１０を覆うように配置され、袋状の柔軟性を有する素材で形成された袋部２０と、を備え、収容・保存容器１０の上端は、ヒト又は動物の排泄口近傍の体の形状に沿った曲線で形成され、袋部２０の上端側は、収容・保存容器１０の上端より突出し、排泄物を収容するときには、袋部２０の上端側を収容・保存容器１０の上端より下方に移動させ、収容・保存容器１０でヒト又は動物の排泄口を覆い、収容・保存容器１０の上端を、ヒト又は動物の排泄口近傍の体に密着させる。【選択図】図１
2016179028.tif 000002
【特許請求の範囲】
【請求項１】
ヒト又は動物の排泄物を収容する簡易トイレであって、
排泄物を収容する収容・保存容器と、収容・保存容器内又は収容・保存容器を覆うように配置され、袋状の柔軟性を有する素材で形成された袋部と、を備え、
収容・保存容器の上端は、ヒト又は動物の排泄口近傍の体の形状に沿った曲線で形成され、袋部上端側は、収容・保存容器の上端より突出し、
排泄物を収容するときには、袋部上端側を収容・保存容器の上端より下方に移動させ、収容・保存容器でヒト又は動物の排泄口を覆い、収容・保存容器の上端を、ヒト又は動物の排泄口近傍の体に密着させることを特徴とする簡易トイレ。
【請求項２】
袋部は、複数枚重ねることが可能なことを特徴とする請求項１に記載の簡易トイレ。
【請求項３】
袋部の内側に設けられた紙又は不織布で形成された拭き取り部を更に備え、
拭き取り部は、袋部の内側に設けられたたまま、または取り外して尿道・肛門または汚れた部分の拭き取りに用いられることを特徴とする請求項１又は２に記載の簡易トイレ。
【請求項４】
収容・保存容器には、上端から離れる方向に延び、使用者が把持可能な取手を備えることを特徴とする請求項１〜３のいずれか一項に記載の簡易トイレ。
【発明の詳細な説明】
【技術分野】
【０００１】
この発明は、簡易トイレに関し、より詳しくは、排泄物を収容する携帯折りたたみ可能な簡易トイレに関する。
【背景技術】
【０００２】
従来、簡易トイレのうち、簡易トイレ特に排泄物を収容する容器は、紙容器本体によって形成されている。
【０００３】
例えば、特許文献１には、開口部を有する箱体に装着され、箱体に挿入される収容袋を備える簡易トイレが提案されている。
【先行技術文献】
【特許文献】
【０００４】
【特許文献１】特開２００５−４６３３９号公報
【発明の概要】
【発明が解決しようとする課題】
【０００５】
しかしながら、特許文献１に記載された簡易トイレは、箱型簡易トイレのため、組立ての時間と手間を要する、広範な設置スペースを確保しなければならない、大型で保管スペースを必要とするため、緊急・災害時保管場所からの搬出・移動・組立が困難で現実的ではないなどの課題があった。
本発明は、設置スペースが必要なく、衛生的な簡易トイレを提供することを目的とする。
【課題を解決するための手段】
【０００６】
（１）ヒト又は動物の排泄物を収容する簡易トイレであって、排泄物を収容する収容・保存容器と、収容・保存容器内又は収容・保存容器を覆うように配置され、袋状の柔軟性を有する素材で形成された袋部と、を備え、収容・保存容器の上端は、ヒト又は動物の排泄口近傍の体の形状に沿った曲線で形成され、袋部上端側は、収容・保存容器の上端より突出し、排泄物を収容するときには、袋部上端側を収容・保存容器の上端より下方に移動させ、収容・保存容器でヒト又は動物の排泄口を覆い、収容・保存容器の上端を、ヒト又は動物の排泄口近傍の体に密着させる簡易トイレ。
【０００７】
（１）の構成によれば、ヒト又は動物の排泄物を収容する簡易トイレであって、排泄物を収容する収容・保存容器と、収容・保存容器内又は収容・保存容器を覆うように配置され、袋状の柔軟性を有する素材で形成された袋部と、を備える。
【０００８】
また（１）の構成によれば、収容・保存容器の上端は、ヒト又は動物の排泄口近傍の体の形状に沿った曲線で形成され、袋部上端側は、収容・保存容器の上端より突出し、排泄物を収容するときには、袋部上端側を収容・保存容器の上端より下方に移動させ、収容・保存容器でヒト又は動物の排泄口を覆い、収容・保存容器の上端を、ヒト又は動物の排泄口近傍の体に密着させて使用する。
【０００９】
また（１）の構成によれば、簡易トイレは一回使用毎に封緘・密閉することもできる。これにより、収容・保存用器開口部周辺に被収容物が付着、被収容物の漏出による感染症を防ぐことができる。
【００１０】
したがって、設置スペースが必要なく、衛生的な簡易トイレを提供できる。
【００１１】
さらに（１）の構成によれば、簡易トイレ本体は、飲食・食品業界等検便の義務づけられている業種の検体採取も可能で、国内だけでなく途上国等近隣に検査機関のない地域でも、検体を採取・収容して検査機関へ輸送することができる。
【００１２】
（２）袋部は、複数枚重ねることが可能な請求項１に記載の簡易トイレ。
【００１３】
（２）の構成によれば、収容・保存容器内又は収容・保存容器を覆うように配置され、袋状の柔軟性を有する素材で形成された袋部を、例えば、ねじる、寄せる、結ぶなどして、排泄物の漏出を防ぐことができる。
【００１４】
また（２）の構成によれば、袋部は、収容・保存容器内又は収容・保存容器を覆うように複数枚配置することができる。これにより、簡易トイレの収容・保存容器の複数回の使用が可能となる。
【００１５】
さらに（２）の構成によれば、簡易トイレを一回使用後に上端を結び、二回目使用時は結び目をほどいて内側に折り込むことで、二回目の使用時も清潔な折り返し部を排泄口近傍にあてることができる。
【００１６】
また（２）の構成によれば、簡易トイレを一回使用後に袋部を取り出し、二回目以降使用時は、未使用の袋部を新たに設置して簡易トイレを使用することもできる。
【００１７】
（３）袋部の内側に設けられた紙又は不織布で形成された拭き取り部を更に備え、
拭き取り部は、袋部の内側に設けられたまま、または取り外して尿道・肛門または汚れた部分の拭き取りに用いられる請求項１又は２に記載の簡易トイレ。
【００１８】
（３）の構成によれば、袋部の内側に設けられた紙又は不織布で形成された拭き取り部であって、拭き取り部は、袋部の内側に設けられたまま、または取り外して尿道・肛門または汚れた部分の拭き取ることができる。
【００１９】
（４）収容・保存容器には、上端から離れる方向に延び、使用者が把持可能な取手を備える請求項１から３のいずれかに記載の簡易トイレ。
【００２０】
（４）の構成によれば、収容・保存容器に設けられた取手により、収容・保存容器の上端に密接させる排泄口近傍に手を近づけることなく、ヒトまたは動物の排泄物を収容することが可能である。これにより、どこにとびはねるかわからない自分以外のヒトまたは動物の排泄物を、手を汚すことなく収容することができる。
【発明の効果】
【００２１】
本発明によれば、設置スペースが必要なく、衛生的な簡易トイレを提供できる。
【図面の簡単な説明】
【００２２】
【図１】本発明の実施形態に係る袋部上端を折り返した使用状態を示す図である。
【図２】本発明の実施形態に係る袋部を複数枚設置した際の袋部上端を折り返した使用状態を示す図である。
【図３】本発明の実施形態に係る袋部を複数枚設置した際の使用状態を示す図である。
【図４】本発明の実施形態に係る袋部上端を結んだ使用状態を示す図である。
【図５】本発明の実施形態に係る収容・保存容器に取手を設けた使用状態を示す図である。
【発明を実施するための形態】
【００２３】
本発明の実施形態に係る簡易トイレの構成について説明する。
図1は、本発明の実施形態に係る袋部上端を折り返した使用状態を示す図である。
図2は、本発明の実施形態に係る袋部を複数枚設置した際の袋部上端を折り返した使用 状態を示す図である。
図３は、本発明の実施形態に係る袋部を複数枚設置した際の使用状態を示す図である。
図４は、本発明の実施形態に係る袋部上端を結んだ使用状態を示す図である。
図５は、本発明の実施形態に係る収容・保存容器に取手を設けた使用状態を示す図である。
【００２４】
簡易トイレ１は、ヒト又は動物の排泄物を収容する簡易トイレであって、排泄物を収容する収容・保存容器１０と、収容・保存容器１０内又は収容・保存容器１０を覆うように配置され、袋状の柔軟性を有する素材で形成された袋部２０と、袋部２０に内蔵された内蔵袋部２５と、拭きとり部３０と、取手４０と、を備える。
【００２５】
収容・保存容器１０は、上方が解放された器形状に形成され、おりたたみ線１１と、太腿付け根用欠き込み１２と、排泄口近傍用欠き込み１３と、簡易トイレ使用図１５と、を備える。
【００２６】
収容・保存容器１０は、滑りにくい素材を用いる、または、収容・保存容器１０の表面に滑り止めを設けることもできる。
【００２７】
収容・保存容器１０は、収容・保存容器１０本体を二重構造にして耐水性を高めることもできる。
【００２８】
収容・保存容器１０は、底が有っても無くともよい。
【００２９】
おりたたみ線１１は、収容・保存容器１０を折りたたむ際のガイド線である。おりたたみ線１１に沿って折りたたむことで、収納スペースを削減し、携帯することもできる。
【００３０】
太腿付け根用欠き込み１２は、収容・保存容器１０の上端において、ヒト又は動物の太腿付け根近傍の形状に沿うような曲線で形成されている。
【００３１】
排泄口近傍用欠き込み１３は、収容・保存容器１０の上端において、ヒト又は動物の排泄口近傍の体の形状に沿った曲線で形成されている。
【００３２】
太腿付け根用欠き込み１２と、排泄口近傍用欠き込み１３とはそれぞれ対向する他端側に同様の形状の欠き込みを有する。
【００３３】
太腿付け根用欠き込み１２と排泄口近傍用欠き込み１３は、収容・保存容器１０でヒト又は動物の排泄口を覆う際、収容・保存容器１０をヒト又は動物の排泄口近傍の体に密着させて使用するために設けられている。
【００３４】
太腿付け根用欠き込み１２と排泄口近傍用欠き込み１３を設けることで、特には女性が尿を排泄する際に、尿のとびだし、とびはねを防止することができる。これにより、ビニール袋のように開口部が自在に変形してしまうものよりも排泄物の収容が確実なものとなる。
【００３５】
また、性別を問わず大便を排泄する際にも、体に沿った形状の欠き込みがあることで、収容・保存容器１０への排泄物の収容をより確実なものとすることができる。
【００３６】
簡易トイレ使用図１５は、簡易トイレ１の使用方法を示す図である。簡易トイレ使用図１５は、収容・保存容器１０の側面、または袋部２０の側面に設けられている。簡易トイレ使用図１５は、平易な構造特性をわかりやすく示す図であるため、別紙による説明書の添付が不要となる。これにより緊急時に複雑な説明書を読むことなく、簡易トイレ１を使用することができる。
【００３７】
簡易トイレ使用図１５は、その簡単な図解だけで誰でも使用方法を理解できるため、識字率の低い地域においても簡易トイレ１の使用が可能となる。
【００３８】
袋部２０は、袋部折り返し部２０Ａと、袋部上端２１と、を備える。
【００３９】
袋部２０は、収容・保存容器１０内又は収容・保存容器１０を覆うように配置され、袋状の柔軟性を有する素材で形成されている。
【００４０】
袋部２０は、収容・保存容器１０を一回使用後に、袋部２０を取り出し、未使用の袋部２０を設置することもできる。また、袋部２０は、複数枚重ねて使用してもよい。この場合、一番上に配置された袋部２０に排泄物を収容し、その後、当該袋部２０を抜出し、例えば、廃棄することで、再度、未使用の袋部２０が現れ、引き続き同様の使用態様で簡易トイレ１を使用できる。
【００４１】
また、収容・保存容器１０を一回使用後に、袋部２０を取り出し、未使用の袋部２０を設置することで、収容・保存容器１０を繰り返し使用することが可能となる。
【００４２】
袋部２０の上端側には、収容・保存容器１０の上端より突出する袋部折り返し部２０Ａが形成されている。
【００４３】
袋部上端２１は、袋部２０の上端開口部である。
【００４４】
簡易トイレ１の使用時、排泄物を収容する際、袋部２０の袋部折り返し部２０Ａを収容・保存容器１０の上端より下方に移動させ、収容・保存容器１０でヒト又は動物の排泄口を覆い、収容・保存容器１０の上端を、ヒト又は動物の排泄口近傍の体に密着させる。これにより、収容・保存容器１０を握った手を、袋部折り返し部２０Ａで覆うことで、手を汚さずに排泄することができる。
【００４５】
簡易トイレ1の使用時、排泄の際、袋部折り返し部２０Ａの上端側を、収容・保存容器１０の上端より下方に移動させることで、袋部上端２１が排泄物で汚れないため、封緘・密閉時の排泄物のはみだし、漏出を防ぐことができる。
【００４６】
簡易トイレ１からの排泄物漏出を防ぐため、袋部折り返し部２０Ａを例えば、ねじる、寄せる、結ぶなどすることもできる。なお、袋部折り返し部２０Ａには、袋部上端２１を塞ぐファスナを設けてもよい。
【００４７】
内蔵袋部２５は、内蔵袋部折り返し部２５Ａと、内蔵袋部上端２６と、を備える。
【００４８】
図２に示すように、袋部２０を複数枚重ねて使用する場合、例えば、袋部２０の内部に内蔵袋部２５を配置する。
【００４９】
内蔵袋部２５の上端側には、収容・保存容器１０の上端より突出する内蔵袋部折り返し部２５Ａが形成されている。内蔵袋部折り返し部２５Ａは、例えば、ねじる、寄せる、結ぶなどして封緘・密閉することができる。
【００５０】
内蔵袋部折り返し部２５Ａは、簡易トイレを一回使用後に上端を結び、二回目使用時は結び目をほどいて内側に折り込むことで、二回目の使用時も清潔な折り返し部を排泄口近傍にあてることができる。
【００５１】
内蔵袋部上端２６は、内蔵袋部折り返し部２５Ａの上端開口部である。
【００５２】
簡易トイレ１を一回使用後に内蔵袋部２５を取り出し、袋部２０に排泄物を収容することもできる。
【００５３】
拭きとり部３０は、袋部折り返し部２０Ａの内側に設けられている。拭き取り部３０は、袋部折り返し部２０Ａの内側に設けられたまま、または取り外して尿道・肛門または汚れた部分を拭き取ることが可能である。排泄後、収容・保存容器１０を手に握ったまま、収容・保存容器１０を排泄口後方へと移動することにより、袋部折り返し部２０Ａの内側に設けられた拭きとり部３０で排泄口近傍を拭きとることができる。
【００５４】
また、拭きとり部３０は、袋部折り返し部２０Ａから剥離して使用することもできる。拭きとり部３０の素材としては、紙・不織布等を用いることもできる。
【００５５】
また、収容・保存容器１０は、上端から離れる方向に延び、使用者が把持可能な取手４０を備える。
【００５６】
取手４０により、排泄口近傍に手を近づけることなく、ヒトまたは動物の排泄物を収容することが可能である。これにより、どこにとびはねるかわからない自分以外のヒトまたは動物の排泄物を、手を汚すことなく収容・保存容器１０または袋部２０または内蔵袋部２５に収容することができる。
【００５７】
取手４０により、ヒトまたは動物の散歩時等、排泄物を路上他公共の敷地などに放置することなく、収容・保存容器１０または袋部２０または内蔵袋部２５に排泄物を収容して持ち帰ることができる。
【００５８】
取手孔４０Ａは、取手４０に形成されている。取手孔４０Ａに指をかけて持つことで、収容・保存容器１０本体を安定して保持することができる。
【００５９】
簡易トイレ１は、一回使用毎に封緘・密閉することもできる。これにより、収容・保存用器開口部周辺に被収容物が付着、被収容物の漏出による感染症を防ぐことができる。
【００６０】
従来の簡易トイレは、不特定多数の人に、複数回使用される場合が多く、不衛生かつ感染症の恐れもあった。個人のプライバシーも損なわれるため、トイレに行く回数を控えるなど、健康面にも悪影響を及ぼしていた。
【００６１】
本実施形態の簡易トイレ１は、小型で携帯・折りたたみ可能、組立ての時間・手間・設置スペースを必要とせず、更に、一回~複数回の使い切り容器とすることで、個人の尊厳を守り、排泄物を衛生的に収容、下水処理施設が崩壊した際にも土壌への埋設により緊急時のＱＯＬの向上をはかることができる。
【００６２】
また、簡易トイレ１は、自動車車内で使用することもできる。その際、自動車車内のポケットにコンパクトに収納することが可能で、緊急時・必要な際の組立・使用が簡便なものとなる。簡易トイレ１は、折り畳み可能とすることで、簡易トイレとしてだけではなく、ドライブ時の車酔いによる嘔吐袋としても利用することができる。
【００６３】
簡易トイレ１は、飲食・食品業界等検便の義務づけられている業種の検体採取も可能である。飲食・食品業界等の業種では、月毎など頻繁な検便が義務づけられているが、便器内に排泄した排泄物は、便器内の水溜まり部に容易に落下しやすく、検体としての採取が困難であった。簡易トイレ１の使用で、排泄物の中核から、トイレ排水に触れていない、未酸化状態の検体採取が可能となる。
【符号の説明】
【００６４】
１  簡易トイレ
１０  収容・保存容器
１１  おりたたみ線
１２  太腿付け根用欠き込み
１３  排泄口近傍用欠き込み
１５  簡易トイレ使用図
２０  袋部
２０Ａ  袋部折り返し部
２１  袋部上端
２５  内蔵袋部
２５Ａ  内蔵袋部折り返し部
２６  内蔵袋部上端
３０  拭きとり部
４０  取手
４０A  取手孔
【図１】
2016179028.tif 000003
【図２】
2016179028.tif 000004
【図３】
2016179028.tif 000005
【図４】
2016179028.tif 000006
【図５】
2016179028.tif 000007